(57)【要約】【課題】本発明は、従来にない作用効果を発揮する画期的な照明装置を提供することを目的とする。【解決手段】液体Ｌ１が収納され屈曲部５を介して屈曲可能な第一管状部１と、前記屈曲部５内に配され前記液体Ｌ１と混合することで発光する液体Ｌ２が収納された第二管状部２とを有し、前記屈曲部５が屈曲した際、前記第二管状部２が破損して前記両液体Ｌ１・Ｌ２が混合することで発光するように構成されたものである。【選択図】図１
2016143620.tif 000002
【特許請求の範囲】
【請求項１】
液体が収納され屈曲部を介して屈曲可能な第一管状部と、前記屈曲部内に配され前記液体と混合することで発光する液体が収納された第二管状部とを有し、前記屈曲部が屈曲した際、前記第二管状部が破損して前記両液体が混合することで発光するように構成されており、前記屈曲部は屈曲に対する復帰弾性を有する構成であり、また、前記第一管状部を屈曲付勢する屈曲付勢部と、この屈曲付勢部による屈曲付勢に抗して前記第一管状部の屈曲を阻止する屈曲阻止部を有し、前記屈曲阻止部は、揺れを受けることで前記第一管状部に対する屈曲阻止状態が解除されるように構成され、更に、前記屈曲部が所定以上屈曲した際、前記屈曲部が復帰することで生じる揺れ動により前記両液体の混合が促進されるように構成されていることを特徴とする照明装置。
【請求項２】
請求項１記載の照明装置において、前記屈曲付勢部は、前記屈曲部が所定以上屈曲した際、前記第一管状部に対する屈曲付勢が解除されるように構成され、前記屈曲付勢部における屈曲付勢が解除された際、前記屈曲部が復帰するように構成されていることを特徴とする照明装置。
【請求項３】
請求項１，２いずれか１項に記載の照明装置において、前記屈曲阻止部は、前記第一管状部を支承して該第一管状部の屈曲を阻止する支承部材と、この支承部材に連設され揺れを受けることで落下する重り部材とで構成され、前記重り部材が揺れを受けて落下することで前記支承部材が移動し、前記第一管状部に対する屈曲阻止状態が解除されるように構成されていることを特徴とする照明装置。
【請求項４】
請求項１〜３いずれか１項に記載の照明装置において、前記屈曲付勢部は、付勢部材と、この付勢部材と連設し前記第一管状部に設けられる止着部材とで構成され、前記屈曲部が所定以上屈曲した際、前記止着部材が前記第一管状部から離脱することで前記第一管状部に対する屈曲付勢が解除されるように構成されていることを特徴とする照明装置。
【請求項５】
請求項４記載の照明装置において、前記止着部材は前記第一管状部の端部に抜け脱自在に被嵌状態で設けられるものであることを特徴とする照明装置。
【請求項６】
請求項１〜５いずれか１項に記載の照明装置において、前記屈曲部は合成樹脂製の管状部材で構成されていることを特徴とする照明装置。
【発明の詳細な説明】
【技術分野】
【０００１】
本発明は、照明装置に関するものである。
【背景技術】
【０００２】
従来から、地震の発生時に使用する非常用の照明装置として、例えば実用新案登録第３０１５１３７号に開示されるような照明装置が提案されており、常時は所定位置に静止された球体の重さによりスイッチ回路はオフ状態にあり、例えば地震の揺れにより球体が所定位置から移動することでスイッチ回路がオン状態になり、非常灯が点灯するように構成されたものである。
【０００３】
しかしながら、この種の照明装置はいつ使用されるか分からず長年放置されがちであり、電池が自然放電や液漏れなどして、非常時に使用できない場合がある。
【０００４】
そこで、従来においても、前述した電池式の照明装置における問題点を解消するものとして、例えば実用新案登録第３１５１１５８号に開示されるような照明装置（以下、従来例）が提案されている。
【０００５】
この従来例は、液体が収納され屈曲可能な筒部材と、この筒部材に配され該筒部材内に収納された液体と混合することで化学発光する液体が収納されたガラスアンプルとで構成されたものであり、筒部材を折り曲げてガラスアンプルを割り、２つの液体が混合することで化学発光させるものである。
【０００６】
従って、従来例は電池が不要である為、前述した電池式の照明装置の問題点を解消することができる。
【先行技術文献】
【特許文献】
【０００７】
【特許文献１】実用新案登録第３０１５１３７号公報
【発明の概要】
【発明が解決しようとする課題】
【０００８】
本発明者は、前述した化学発光する液体を利用した照明装置について更なる開発を進め、その結果、従来にない作用効果を発揮する画期的な照明装置を開発した。
【課題を解決するための手段】
【０００９】
添付図面を参照して本発明の要旨を説明する。
【００１０】
液体Ｌ１が収納され屈曲部５を介して屈曲可能な第一管状部１と、前記屈曲部５内に配され前記液体Ｌ１と混合することで発光する液体Ｌ２が収納された第二管状部２とを有し、前記屈曲部５が屈曲した際、前記第二管状部２が破損して前記両液体Ｌ１・Ｌ２が混合することで発光するように構成されており、前記屈曲部５は屈曲に対する復帰弾性を有する構成であり、また、前記第一管状部１を屈曲付勢する屈曲付勢部３と、この屈曲付勢部３による屈曲付勢に抗して前記第一管状部１の屈曲を阻止する屈曲阻止部４を有し、前記屈曲阻止部４は、揺れを受けることで前記第一管状部１に対する屈曲阻止状態が解除されるように構成され、更に、前記屈曲部５が所定以上屈曲した際、前記屈曲部５が復帰することで生じる揺れ動により前記両液体Ｌ１・Ｌ２の混合が促進されるように構成されていることを特徴とする照明装置に係るものである。
【００１１】
また、請求項１記載の照明装置において、前記屈曲付勢部３は、前記屈曲部５が所定以上屈曲した際、前記第一管状部１に対する屈曲付勢が解除されるように構成され、前記屈曲付勢部３における屈曲付勢が解除された際、前記屈曲部５が復帰するように構成されていることを特徴とする照明装置に係るものである。
【００１２】
また、請求項１，２いずれか１項に記載の照明装置において、前記屈曲阻止部４は、前記第一管状部１を支承して該第一管状部１の屈曲を阻止する支承部材４ａと、この支承部材４ａに連設され揺れを受けることで落下する重り部材４ｂとで構成され、前記重り部材４ｂが揺れを受けて落下することで前記支承部材４ａが移動し、前記第一管状部１に対する屈曲阻止状態が解除されるように構成されていることを特徴とする照明装置に係るものである。
【００１３】
また、請求項１〜３いずれか１項に記載の照明装置において、前記屈曲付勢部３は、付勢部材３ａと、この付勢部材３ａと連設し前記第一管状部１に設けられる止着部材３ｂとで構成され、前記屈曲部５が所定以上屈曲した際、前記止着部材３ｂが前記第一管状部１から離脱することで前記第一管状部１に対する屈曲付勢が解除されるように構成されていることを特徴とする照明装置に係るものである。
【００１４】
また、請求項４記載の照明装置において、前記止着部材３ｂは前記第一管状部１の端部に抜け脱自在に被嵌状態で設けられるものであることを特徴とする照明装置に係るものである。
【００１５】
また、請求項１〜５いずれか１項に記載の照明装置において、前記屈曲部５は合成樹脂製の管状部材５ａで構成されていることを特徴とする照明装置に係るものである。
【発明の効果】
【００１６】
本発明は上述のように構成したから、例えば地震の揺れを受けることで確実に発光することになり、しかも、二つの液体を良好に混合して迅速に発光させることができるなど、従来にない作用効果を発揮する画期的な照明装置となる。
【図面の簡単な説明】
【００１７】
【図１】実施例１を示す正面図である。
【図２】実施例１を示す正断面図である。
【図３】図２のＡ−Ａ断面図である。
【図４】図２のＢ−Ｂ断面図である。
【図５】実施例１を示す動作説明図である。
【図６】実施例１を示す動作説明図である。
【図７】実施例１を示す動作説明図である。
【図８】実施例２の要部を示す正断面図である。
【発明を実施するための形態】
【００１８】
好適と考える本発明の実施形態を、図面に基づいて本発明の作用を示して簡単に説明する。
【００１９】
例えば地震による揺れを受けた際、屈曲阻止部４による第一管状部１に対する屈曲阻止状態が解除され、屈曲付勢部３の屈曲付勢により屈曲部５が屈曲すると、第二管状部２が破損して両液体Ｌ１・Ｌ２が混合する（この時点で発光が開始される）。
【００２０】
続いて、屈曲部５が所定以上屈曲した際、屈曲部５が復帰することで生じる揺れ動により両液体Ｌ１・Ｌ２の混合が促進される。
【００２１】
従って、例えば地震の揺れを受けることで確実に発光することになり、しかも、二つの液体Ｌ１・Ｌ２を良好に混合して迅速に発光させることができる。
【実施例１】
【００２２】
本発明の具体的な実施例１について図１〜７に基づいて説明する。
【００２３】
本実施例は、液体Ｌ１が収納され屈曲部５を介して屈曲可能な第一管状部１と、屈曲部５内に配され液体Ｌ１と混合することで発光する液体Ｌ２が収納された第二管状部２とを有し、屈曲部５が屈曲した際、第二管状部２が破損して両液体Ｌ１・Ｌ２が混合することで発光するように構成された非常用の照明装置である。尚、本実施例では、第一管状部１に収納される液体Ｌ１と第二管状部２に収納される液体Ｌ２のうち、一方がシュウ酸ジフェニル、他方が過酸化水素としているが、これら組み合わせに限らず化学発光する液体同士であれば適宜採用し得るものである。
【００２４】
以下、本実施例に係る構成各部について詳細な説明をする。
【００２５】
第一管状部１は、図１，２に図示したように適宜な透明な合成樹脂材を正面視逆Ｖ字状に形成した断面円形の管状体であり、この第一管状部１の硬度は、後述する屈曲部５以外の部位においても手で屈曲可能な硬度であり、且つ、後述する屈曲付勢部３の屈曲付勢によっては屈曲しない硬度に設定されている。尚、第一管状部１はガラス製でも良い。
【００２６】
また、第一管状部１は、先細り上端部の外側部位には吊り下げ用の孔部１ａが設けられ、先細り上端部の内側部位には後述する屈曲阻止部４を構成する重り部材４ｂを載置する凹状（皿状）の載置部１ｂが設けられている。
【００２７】
また、第一管状部１を構成する左右の直線部１Ａ・１Ｂのうち、一方（図１中右側）の直線部１Ａには屈曲部５が設けられている。
【００２８】
この屈曲部５は、適度な弾性を有する合成樹脂製（シリコン製）の管状部材５ａを直線部１Ａの所定位置を分断する状態で配設して構成され、この管状部材５ａは屈曲に対して復帰弾性を有するものである。
【００２９】
従って、この屈曲部５を境界とした直線部１Ａの下方部位は上方部位に対して屈曲し得ることになり、この屈曲させる力を解除することで直線状に復帰（揺れ動）することになる。
【００３０】
符号６は液体注入部であり、この液体注入部６は直線部１Ｂの下端に設けられる開口部６ａが閉塞部材６ｂで閉塞される構成である。
【００３１】
また、第一管状部１を構成する左右の直線部１Ａ・１Ｂの下端部同士間には屈曲付勢部３が設けられている。
【００３２】
この屈曲付勢部３は、図１，２に図示したように直線部１Ａ・１Ｂ夫々に設けられる一対の止着部材３ｂと、この一対の止着部材３ｂ同士間に架設される長尺の付勢部材３ａとで構成されている。
【００３３】
止着部材３ｂは、適宜な合成樹脂材で形成したものであり、直線部１Ａ・１Ｂの下端部に抜け脱自在に被嵌する凹部３ｂ’が設けられている。
【００３４】
この凹部３ｂ’の開口角度は、後述する屈曲阻止部４で保持されている際には直線部１Ａ・１Ｂから抜け落ちず、屈曲阻止部４による屈曲阻止が解除されて屈曲部５が所定以上屈曲した際、直線部１Ａ・１Ｂの下端部から自重で抜け落ちる角度に設定されている。
【００３５】
また、止着部材３ｂは、互いに直線部１Ａ・１Ｂに被嵌させた際に対応する内面に鉤状の係止部３ｂ”が設けられ、この係止部３ｂ”に付勢部材３ａの端部が連結される。
【００３６】
付勢部材３ａは、図１，２に図示したように合成樹脂製の伸縮部材（ゴム）であり、一端部が一方の止着部材３ｂに連結され、他端部が他方の止着部材３ｂに連結される。
【００３７】
尚、付勢部材３ａは、コイルバネでも良いなど、本実施例の特性を発揮する構成であれば適宜採用し得るものである。
【００３８】
また、本実施例では、この屈曲付勢部３による屈曲付勢に抗して第一管状部１の屈曲を阻止する屈曲阻止部４を有する。
【００３９】
この屈曲阻止部４は、図１に図示したように止着部材３ａ同士間に架設される支承部材４ａと、この支承部材４ａに連設される重り部材４ｂとで構成されている。
【００４０】
支承部材４ａは、適宜な合成樹脂材で形成した棒状体であり、屈曲付勢部により付勢される止着部材３ｂ間に配されて支承するように構成されている。
【００４１】
重り部材４ｂは、適宜な合成樹脂材で形成した球状体であり、所定の重量を具備しており、この重り部材４ｂは紐部材４ｂ’を介して支承部材４ａに連結されている。尚、重り部材４ｂは金属製でも木製でも良い。
【００４２】
本実施例では、重り部材４ｂは震度５以上の揺れを受けた際、載置部１ｂから落下するように、その重量及び載置部１の形状が設定されている。
【００４３】
従って、この重り部材４ｂは載置部１ｂに載置され、揺れを受けて載置部１ｂから落下した際、この落下に伴い支承部材４ａが下方へ移動することで止着部材３ｂの支承が解除され、第一管状部１に対する屈曲阻止状態が解除される。
【００４４】
尚、支承部材４ａは紐部材８を介して一方の止着部材３ａに連設されている。
【００４５】
第二管状部２は、図１，２に図示したように所定長を有するガラス製の管状体（アンプル）であり、第一管状部１よりも径小に設定されている。
【００４６】
また、第二管状部２には、第一管状部１に収納される液体Ｌ１と混合することで化学発光する液体Ｌ２が収納されている。
【００４７】
また、第二管状部２は、第一管状部１内にして屈曲部５の内側位置に配設されている。
【００４８】
具体的には、この第二管状部２を第一管状部１に配設する際には、第二管状部２の周面にして上下位置に合成樹脂製の環部材７を被嵌し、上方の環部材７が被嵌される部位を分断される直線部１Ａの上側部位に挿入し、下方の環部材７が被嵌される部位を直線部１Ａの下側部位に挿入し、この環部材７を介することで第二管状部２は第一管状部１に間隙を介した状態で配設されることになる。その後、直線部１Ａの上側部位と下側部位とを管状部材５ａを介して連結することで、直線部１Ａには屈曲部５が形成される。尚、環部材７には液体Ｌ１の通過を可能にする通液孔７ａが設けられている。
【００４９】
本実施例では、この第二管状部２を第一管状部１内に配設した後、液体注入部６から第一管状部１内に液体Ｌ１を収納する。
【００５０】
以上の構成から成る本実施例に係る照明装置の作動について説明する。
【００５１】
吊下げ用の孔部１ａを壁面に突設した釘や鋲などの突起部20に係止して壁面に吊り下げ状態とする（図２参照）。即ち、普段はインテリアとしての機能を発揮する。
【００５２】
例えば地震により震度５以上の揺れを受けて重り部材４ｂが載置部１ｂから落下した際、支承部材４ａは下方へ移動して止着部材３ｂに対する支承状態（第一管状部１に対する屈曲阻止状態）が解除される（図５参照）。
【００５３】
続いて、屈曲付勢部３の屈曲付勢により屈曲部５は屈曲する。この際、第二管状部２は破損して液体Ｌ２が外部に流出し、第一管状部１に収納された液体Ｌ１と混合する（図６参照）。
【００５４】
続いて、屈曲部５が所定以上屈曲すると、直線部１Ａから止着部材３ａは抜け落ちて屈曲付勢部３における屈曲付勢が解除され、屈曲部５が復帰することで生じる揺れ動により両液体Ｌ１・Ｌ２の混合が促進される（図７参照）。尚、支承部材４ａは直線部１Ｂに被嵌される止着部材３ａと連結されており、重り部材４ｂにより支承部材４ａが落下することに伴いこの止着部材３ａも直線部１Ｂから脱落する。
【００５５】
その後、暗闇においても発光している為、簡単に手にすることができ、照明として利用できる。
【００５６】
本実施例は上述のように構成したから、例えば地震の揺れを受けることで確実に発光することになり、しかも、二つの液体Ｌ１・Ｌ２を良好に混合して迅速に発光させることができる。
【００５７】
また、本実施例は、屈曲阻止部４は、第一管状部１を支承して該第一管状部１の屈曲を阻止する支承部材４ａと、この支承部材４ａに連設され揺れを受けることで落下する重り部材４ｂとで構成され、重り部材４ｂが揺れを受けて落下することで支承部材４ａが移動し、第一管状部１に対する屈曲阻止状態が解除されるように構成されているから、簡易構造で確実に前述した作用効果が発揮されることになり、しかも、簡易構造故にコスト安にして量産性に秀れることになる。
【００５８】
また、本実施例は、屈曲付勢部３は、付勢部材３ａと、この付勢部材３ａと連設し第一管状部１に設けられる止着部材３ｂとで構成され、屈曲部５が所定以上屈曲した際、止着部材３ｂが第一管状部１から離脱することで第一管状部１に対する屈曲付勢が解除されるように構成されているから、簡易構造で確実に前述した作用効果が発揮されることになり、しかも、簡易構造故にコスト安にして量産性に秀れることになる。
【００５９】
また、本実施例は、屈曲部５は適度な弾性を有する合成樹脂製の管状部材５ａで構成されているから、簡易構造で確実に前述した作用効果が発揮されることになり、しかも、簡易構造故にコスト安にして量産性に秀れることになる。
【実施例２】
【００６０】
本発明の具体的な実施例２について図８に基づいて説明する。
【００６１】
本実施例は、別タイプの第一管状部１を設けている。
【００６２】
具体的には、図８に図示したように吊下げ孔部１ａの左右位置に直線部１Ａ・１Ｂが設けられ、この直線部１Ａ・１Ｂ同士は連設せず独立した状態で設けられており（実施例１のように液体Ｌ１を共有しない）、この直線部１Ａ・１Ｂ夫々に第二管状部２が設けられている。
【００６３】
この一方の直線部１Ａに設けられる第二管状部２は、実施例１と同様、直線部１Ａが屈曲付勢部３の屈曲付勢により屈曲することで破壊し、他方の直線部１Ｂに設けられる第二管状部２は、直線部１Ｂを手で屈曲させることで破壊されるように構成されている。
【００６４】
従って、揺れを受けることで発光する部分を実施例１の半分にすることで、直ちに多くの光量を必要としない場合などに有効であり、残りの半分は任意の時に発光させることができる。
【００６５】
その余は実施例１と同様である。
【００６６】
尚、本発明は、実施例１，２に限られるものではなく、各構成要件の具体的構成は適宜設計し得るものである。
【符号の説明】
【００６７】
Ｌ１  液体
Ｌ２  液体
１  第一管状部
２  第二管状部
３  屈曲付勢部
３ａ  付勢部材
３ｂ  止着部材
４  屈曲阻止部
４ａ  支承部材
４ｂ  重り部材
５  屈曲部
５ａ  管状部材
【図１】
2016143620.tif 000003
【図２】
2016143620.tif 000004
【図３】
2016143620.tif 000005
【図４】
2016143620.tif 000006
【図５】
2016143620.tif 000007
【図６】
2016143620.tif 000008
【図７】
2016143620.tif 000009
【図８】
2016143620.tif 000010